(57)【特許請求の範囲】
【請求項１】
表示装置と入力受付装置とに接続され、設定値に基づいて処理を実行する電子機器において、
前記設定値を表示するための第１の領域、および、前記第１の領域に表示されている設定値に対応付けられ、当該設定値を変更するための画面を前記表示装置に表示させる入力を受け付ける少なくとも１つの第２の領域を、前記表示装置に表示させ、
前記入力装置を介して、前記第２の領域への入力を受け付けた場合、前記設定値を変更するための画面を前記表示装置に表示させ、
前記入力装置を介して、前記第１の領域への入力を受け付けた場合であって、かつ当該第１の領域に１つの第２の領域が対応付けられている場合には、当該第２の領域に対する入力があった場合に表示させる画面を、前記表示装置に表示させ、
前記入力装置を介して、前記第１の領域への入力を受け付けた場合であって、かつ当該第１の領域に２つ以上の第２の領域が対応付けられている場合には、当該２つ以上の第２の領域を、前記表示装置に強調表示させる制御手段を備えることを特徴とする電子機器。
【請求項２】
表示装置と入力受付装置とに接続され、設定されたコピー倍率に基づいて処理を実行するコピー装置において、
前記コピー倍率を表示するためのコピー倍率表示領域、前記コピー倍率を上げるための画面を前記表示装置に表示させる入力を受け付ける拡大ボタン、および、前記コピー倍率を下げるための画面を前記表示装置に表示させる入力を受け付ける縮小ボタンを、前記表示装置に表示させ、
前記入力装置を介して、前記拡大ボタンまたは前記縮小ボタンへの入力を受け付けた場合、対応するボタンへの入力に応じて前記コピー倍率を変更するための画面を前記表示装置に表示させ、
前記入力装置を介して、前記コピー倍率表示領域への入力を受け付けた場合、前記拡大ボタンおよび前記縮小ボタンを、前記表示装置に強調表示させる制御手段を備えることを特徴とするコピー装置。
【発明の詳細な説明】
【０００１】
【発明の属する技術分野】
本発明は、電子機器、特にコピー装置において、入力を受け付けるための技術に関する。
【０００２】
【発明の背景】
従来のコピー装置では、拡大コピーや縮小コピーを行うために、ユーザからの入力を受け付けてコピー倍率を変更することができる。また、印刷用紙を収容した複数のカセットを備え、出力する用紙サイズあるいは用紙の方向を、カセットに収容されている用紙の中からユーザが選択することができる。したがって、コピー装置は、用紙設定および倍率設定ための画面を表示する表示装置と、入力を受け付ける入力受付装置を備えている。
【０００３】
用紙設定および倍率設定を行うための画面では、通常、現在設定されている用紙サイズおよび倍率が表示されると同時に、用紙変更および倍率設定を受け付けるための領域が押しボタンをもぎした図形によって表示されている。各ボタンが押されたときに、次の画面へ遷移し、表示装置に用紙変更、倍率設定の各画面が表示される。
【０００４】
ここで、ユーザは、用紙サイズ、倍率等の設定をしようとする値に注意が向いているため、画面を遷移させようとして現在の設定値が表示されている領域を押してしまうことが起こりがちである。しかし、このときは画面は遷移しない。このため、ユーザは再度、操作を行うこととなる。したがって、設定値が表示されている領域が押されたときであっても、次の画面へ遷移すれば、ユーザにとっては便利である。
【０００５】
このことは、コピー装置に限らず、パラメータ値を設定するための一般の電子機器の入力画面においても事情は同じである。
【０００６】
そこで、本発明は、電子機器におけるパラメータの設定入力の利便性を向上させることを目的とする。
【０００７】
【課題を解決するための手段】
前記目的を達成するため、本発明の第一の態様によれば、表示装置と入力受付装置とに接続され、かつ、設定値を変更可能なパラメータに基づいて処理を実行する電子機器において、前記パラメータの設定値を表示するための第１の領域と、前記パラメータの設定値を変更するための入力を受け付けるための第２の領域とを、前記表示装置に表示させ、前記入力受付装置を介して前記第１の領域および前記第２の領域のうちのいずれか一方に対する入力を受け付けると、前記パラメータに値を設定するための画面を前記表示装置に表示させる前記表示装置の制御手段を、備える。
【０００８】
前記目的を達成するため、本発明の第二の態様によれば、表示装置と入力受付装置とに接続され、かつ、設定値を変更可能なパラメータに基づいて処理を実行する電子機器において、前記パラメータの設定値を表示するための第１の領域と、前記パラメータの設定値を変更するための入力を受け付けるための第２および第３の領域とを、前記表示装置に表示させ、前記入力受付装置を介して前記第１の領域に対する入力を受け付けると、前記第２および第３の領域を少なくとも含む前記パラメータに値を設定するための画面を前記表示装置に表示させる前記表示装置の制御手段を、備える。
【０００９】
上記第一および第二の態様により、ユーザが表示領域と入力受付領域のいずれを押しても、次の画面へ遷移させることができ、電子機器を操作するユーザの利便性が向上する。
【００１０】
前記目的を達成するため、本発明の第三の態様によれば、表示装置と、当該表示装置の上に重ねて設けられた入力受付装置とを備え、かつ、出力用紙サイズの設定値が変更可能なコピー装置において、出力用紙サイズの設定値を表示する第１の領域と、出力用紙サイズの設定値を変更するためのボタンを表示する第２の領域とを、前記表示装置に表示させ、前記入力受付装置を介して前記第１の領域および前記第２の領域のうちのいずれか一方に対する入力を受け付けると、設定可能な出力用紙サイズを前記表示装置に表示させる表示制御手段を備える。
【００１１】
前記目的を達成するため、本発明の第四の態様によれば、表示装置と、当該表示装置上に重ねて設けられた入力受付装置とを備え、かつ、コピー倍率の設定値が変更可能なコピー装置において、コピー倍率の設定値を表示する第１の領域と、コピー倍率の設定値を変更するためのボタンを表示する第２の領域とを、前記表示装置に表示させ、前記入力受付装置を介して前記第１の領域に対する入力を受け付けると、縮小倍率を設定するための縮小ボタンと、拡大倍率を設定するための拡大ボタンと、等倍に設定するための等倍ボタンとを、前記表示装置に表示させる表示制御手段を備える。
【００１２】
上記第三および第四の態様により、ユーザが表示領域と入力受付領域のいずれを押しても、次の画面へ遷移させることができ、コピー装置を操作するユーザの利便性が向上する。
【００１３】
前記目的を達成するため、本発明の第五の態様によれば、  表示装置と入力受付装置とに接続され、かつ、ユーザが設定値を変更可能な第１および第２のパラメータに基いて処理を実行する電子機器において、前記第１のパラメータの設定値を表示する第１の領域と、前記第１のパラメータの設定値を変更するための入力を受け付ける第２の領域とを、前記表示装置に表示させ、前記入力受付装置を介して前記第１の領域に対する入力を受け付けると、前記第２のパラメータに値を設定するための画面を前記表示装置に表示させる前記表示装置の制御手段を備える。
【００１４】
これにより、設定されているパラメータ値を表示している表示領域に対する入力は、そのパラメータを変更しないことの入力として扱われることになる。
【００１５】
前記目的を達成するため、本発明の第六の態様によれば、表示装置と入力受付装置とに接続され、かつ、ユーザが、設定値を変更可能なパラメータに基づいて処理を実行する電子機器におけるパラメータの入力を受け付ける方法であって、前記パラメータの設定値を表示する第１の領域と、前記パラメータの設定値を変更するための入力を受け付ける第２の領域とを、前記表示装置に表示させる処理と、前記入力受付装置を介して前記第１の領域および前記第２の領域のうちのいずれか一方に対する入力を受け付けると、前記パラメータに値を設定するための画面を前記表示装置に表示させる処理と、を有する。
【００１６】
前記目的を達成するため、本発明の第七の態様によれば、表示装置と、前記表示装置の上に重ねて設けられ、所定の領域毎に個別に入力を受け付ける入力受付装置と、当該入力受付装置が受け付けた入力に応じて前記表示装置の表示を変更する表示制御手段と、を備えた電子機器であって、前記表示制御手段は、所定の設定に関する設定値を表示する第１の領域と、当該設定を変更するためのボタンを表示する第２の領域が前記表示装置に表示されている時に、前記第２の領域に対応する前記入力受付装置の領域が入力を受け付けた場合、前記設定の選択可能項目又は設定値入力画面を前記表示装置に表示させ、前記第１の領域に対応する前記入力受付装置の領域が入力を受け付けた場合も、前記設定の選択可能項目又は設定値入力画面を前記表示装置に表示させる。
【００１７】
前記目的を達成するため、本発明の第八の態様によれば、表示装置と、前記表示装置の上に重ねて設けられ、所定の領域毎に個別に入力を受け付ける入力受付装置と、当該入力受付装置が受け付けた入力に応じて前記表示装置の表示を変更する表示制御手段と、を備えた電子機器であって、前記表示制御手段は、所定の設定に関する設定値を表示する第１の領域と、当該設定を変更するためのボタンを表示する第２の領域が前記表示装置に表示されている時に、前記第２の領域に対応する前記入力受付装置の領域が入力を受け付けた場合、前記設定の選択可能項目又は設定値入力画面を前記表示装置に表示させ、前記第１の領域に対応する前記入力受付装置の領域が入力を受け付けた場合は、前記第２の領域を強調表示させる。
【００１８】
【発明の実施の形態】
以下、本発明の実施形態について、図面を用いて説明する。
【００１９】
図１は、本発明の実施形態を適用したコピー装置１の外観構成図である。図１に示すように、このコピー装置１は、プリンタ制御部（図２参照）１１を内蔵するプリンタ１０、プリンタオプション部１２、操作盤２０、および、スキャナ３０を備えている。
【００２０】
このコピー装置１は、拡張ボードとして構成されるプリンタオプション部１２をプリンタ１０の背面に形成される拡張スロットに装着するとともに、図示せぬケーブルにてこのプリンタオプション部１２に操作盤２０およびスキャナ３０をそれぞれ接続することにより、デジタル方式のコピー印刷を可能にしたものである。
【００２１】
プリンタ１０は、コンピュータの周辺機器として一般に市販されるものであり、プリンタオプション部１２が装着されることによりコピー装置１のコピー制御部および印刷部として用いられる装置である。プリンタ１０に内蔵されるプリンタ制御部１１は、受信したイメージデータを印刷データに変換するとともに、その印刷データに基づくイメージを印刷用紙に印刷する。
【００２２】
プリンタオプション部１２は、操作盤２０から入力された各種情報に基づいて、スキャナ３０から入力された画像データを適宜処理してイメージデータに変換し、そのイメージデータをプリンタ制御部１１に送信する装置である。
【００２３】
操作盤２０は、本コピー装置１用に製造された機器であり、本コピー装置の入力部として用いられる装置である。この操作盤２０には、各種画面を表示するＬＣＤ（液晶表示板）２１と、このＬＣＤ２１に重ねられ、ユーザからの入力を受け付けるタッチパネル２２と、各種キーを有するキーボード２３とが、組み込まれている。
【００２４】
スキャナ３０は、コンピュータの周辺機器として一般に市販されるものであり、コピー装置１の原稿読取部として用いられる装置である。このスキャナ３０は、原稿台３０ａに置かれた原稿を読み取ることにより、その原稿の画像データを得る。原稿台３０ａは、最大でＡ３サイズの原稿を読み取ることができる大きさである。このため、Ａ３またはＢ４の原稿をセットできる方向は、一方向に定まる。ここで、この方向をタテ方向とする。
【００２５】
以下、これら各装置毎に、その内部構成を説明する。
【００２６】
図２は、コピー装置１の内部のハードウェア構成を示すブロック図である。先にプリンタ１０（プリンタ制御部１１およびプリンタオプション部１２）の構成を説明し、後に操作盤２０の構成について説明する。
【００２７】
この図２に示すように、プリンタオプション部１２がプリンタ１０に装着されることにより、プリンタ１０に内蔵されるプリンタ制御部１１の各ハードウエア１１０〜１１４とプリンタオプション部１２の各ハードウエア１２０〜１２４とが、共通のバス（データパスおよびシステムパス）Ｂに接続される。
【００２８】
プリンタ制御部１１は、ＣＰＵ１１０、ＲＡＭ１１１、印刷機構１１２、ＲＯＭ１１３、および、ＲＯＭ１１４を、主要構成としている。プリンタオプション部１２は、第１ＲＡＭ１２０、画像処理制御回路１２１、第２ＲＡＭ１２２、スキャナ専用インターフェース１２３、および、シリアルインターフェース１２４を、主要構成としている。
【００２９】
プリンタ制御部１１のＣＰＵ１１０は、各種デバイスを統合的に制御する中央処理装置である。ＲＡＭ１１１は、このＣＰＵ１１０の作業領域が展開されるメモリである。印刷機構１１２は、実際に印刷用紙上にイメージを印刷する印刷エンジンや、印刷前に印刷用紙を給紙するとともに印刷後に排紙する搬送機構などからなる。
【００３０】
スキャナ専用インターフェース１２３は、ケーブルＣを介してスキャナ３０に接続され、スキャナ３０との間のデータ交換（スキャナ３０に対する命令の送信、スキャナ３０からの画像データ等の受信）を司る。
【００３１】
第１ＲＡＭ１２０は、スキャナ３０から受信した画像データを一時的に記録しておくためのメモリである。画像処理制御回路１２１は、ガンマ補正、モアレ除去、エッジ強調、カラーマッチングなどの画像処理を行える回路であり、ＣＰＵ１１０の指示に応じて、第１ＲＡＭ１２０から読み出した画像データに対して画像処理を施し、画像処理後のイメージデータを第２ＲＡＭ１２２に記録する。
【００３２】
ＲＯＭ１１３、１１４は、ＣＰＵ１１０によって実行される各種のプログラムが記録されたメモリである。ＲＯＭ１１３は、イメージデータを印刷機構１１２が印刷するのに適した印刷データに変換するプリンタ制御プログラムやＢＩＯＳを、主に記憶している。また、ＲＯＭ１１４は、ＣＰＵ１１０をコピー装置１のコピー制御部として動作させるための各種プログラムやデータを、主に記憶している。このＲＯＭ１１４に記憶されたプログラムは、コピー制御プログラム、スキャナ制御プログラム、画像処理プログラムを含む。
【００３３】
なお、ＲＯＭ１１４は、プリンタオプション部１２と同様に、プリンタ制御部１１から取り外すことが出来るものとなっており、プリンタ１０の電源が投入された際、ＣＰＵ１１０は、ＲＯＭ１１３に記憶されたＢＩＯＳにしたがってＲＯＭ１１４およぴプリンタオプション部１２が装着されているか否かをチェックする。
【００３４】
そして、ＣＰＵ１１０は、当該ＢＩＯＳによるブート制御により、ＲＯＭ１１４またはプリンタオプション部１２が装着されていない場合には、ＲＯＭ１１３ないのプリンタ制御プログラムにしたがって、通常のネットワークプリンタとしての印刷処理を行う。また、ＲＯＭ１１３およびＲＯＭ１１４内の各プログラムしたがって、コピー装置１のコピー制御部として、画像読取制御、画像処理制御、および、画像印刷制御を行う。
【００３５】
プリンタオプション部１２のシリアルインターフェース１２４は、ケーブルＣ'を介して操作盤２０に接続され、操作盤２０との間のデータ交換（操作盤２０に対する各種情報や命令の送信、操作盤２０におけるボタン入力またはキー入力に対応する各種データの受信）を司る。
【００３６】
上記シリアルインターフェース１２４に接続される操作盤２０は、図１で示したＬＣＤ２１、タッチパネル２２、および、キーボード２３のほかに、バスＢ'によって互いに接続されたＣＰＵ２００、ＲＡＭ２０１、ＲＯＭ２０２、ＬＣＤ制御回路２０３、キースキャン制御回路２０４、および、シリアルインターフェース２０５を、備えている。また、ＬＣＤ２１は、ＬＣＤ制御回路２０３に接続されているとともに、タッチパネル２２およびキーボード２３は、キースキャン制御回路２０４に接続されている。
【００３７】
ＬＣＤ２１は、液晶を挟む電極間に電圧を印加して偏光方向を制御することによって光を透過又は遮蔽させる液晶パネルを備えたディスプレイであり、この液晶パネルは、モノクロ２階調の３２０×２４０ドットマトリックスからなる。
【００３８】
このＬＣＤ２１に重ねられたタッチパネル２２は、８×６個の検出点を有する感圧式の透明センサからなるエリアセンサである。ユーザがＬＣＤ２１に表示されているボタン等の所定の領域を押す感覚で、ＬＣＤ２１上に重ねられたタッチパネル２２の領域を指で抑圧する。タッチパネル２２は、その領域に対応する電気信号を、キースキャン制御回路２０４に入力する。
【００３９】
また、キーボード２３は、図１に示したスタートキー２３ａ、テンキー２３ｂ、及び、リセットキー２３ｃを含む各種のキーからなり、操作者によって何れかのキーが押されたキーボード２３は、そのキーに対応する電気信号を、キースキャン制御回路２０４に入力する。
【００４０】
ＬＣＤ制御回路２０３は、画面データを一時記憶するためのメモリと、ＬＣＤ２１の電極に駆動電圧を印加するための駆動回路とを、備えており、ＣＰＵ２００から受信した画面データを、自己の内部に備えるメモリ内に一時的に記録した後、その画面データに従ってＬＣＤ２１の電極に対して駆動電圧を印加することにより、その画面データに基づく画面をＬＣＤ２１に表示する。
【００４１】
キースキャン制御回路２０４は、タッチパネル２２またはキーボード２３の状態を周期的に検出し、タッチパネル２２またはキーボード２３からの入力があった場合には、その入力に応じた入力信号データを保持する。
【００４２】
シリアルインターフェース２０５は、ケーブルＣ'を介してプリンタオプション部１２のシリアルインターフェース１２４に接続され、プリンタ制御部１１のＣＰＵ１１０との問のデータ交換（操作盤２０におけるボタン入力又はキー入力に対応する各種データの送信、操作盤２０に対する各種情報や命令の受信）を司る。
【００４３】
ＣＰＵ２００は、制御盤２０全体の制御を行う中央処理装置である。ＲＯＭ２０２は、ＬＣＤ制御回路２０３へ指示を与えるプログラム、ＬＣＤ２１に表示するための各種画面データ、キースキャン制御回路２０４へ指示を与えるプログラム、および、シリアルインターフェース制御プログラムなど、各種のプログラムを記憶したメモリである。ＲＡＭ２０１は、ＣＰＵ２００が読み出した各種プログラムをキャッシュするとともに、このＣＰＵ２００による作業領域が展開されるメモリである。
【００４４】
この操作盤２０の機能構成図を、図３に示す。すなわち、操作盤２０は、表示制御部２１０と、入力受付部２２０と、パラメータ判定部２３０と、画面データ記憶部２５０と、パラメータ記憶部２６０とを、内部機能として有する。図３に示す機能構成は、ＲＯＭ２０２に記録されている各種プログラムを読み出してＣＰＵ２００が実行することにより実現される。
【００４５】
画面データ記憶部２５０は、ＬＣＤ２１に表示させる各種画面を表示するためのデータを記憶する。たとえば、図７および図１０に示すメイン画面５００、５５０、図８（ａ）〜（ｃ）に示す倍率選択画面群（倍率メニュー画面６００、拡大メニュー画面６１０、縮小メニュー画面６３０）、および、図９に示す出力用紙選択画面７００等を表示するためのデータを記憶する。各画面の詳細については後述する。
【００４６】
パラメータ記憶部２６０は、ユーザが設定可能なパラメータの値を記憶するための領域を有し、その設定値を記憶する。たとえば、パラメータ記憶部２６０は、図５（ａ）、図５（ｂ）、図５（ｃ）に示すようなデータ項目を有する。すなわち、出力用紙２６１と、コピー倍率２６２とを有し、出力用紙２６１には、さらに、出力用紙サイズ２６１ａと用紙方向２６１ｂとを含む。
【００４７】
表示制御部２１０は、ＬＣＤ制御回路２０３を制御して、画面データ記憶部２５０から各種画面を表示するための情報を取得して、ＬＣＤ２１に表示させる。たとえば、表示制御部２１０は、ＬＣＤ２１にメイン画面５００、５１０（図７、図１０参照）、倍率選択画面群６００、６１０、６２０（図８参照）、出力用紙選択画面７００（図９参照）等を表示させる。さらに、入力受付部２２０から表示中の各画面に対する入力があったことの通知を受け付けると、表示制御部２１０は、その入力に応じた処理を行う。例えば、その通知が画面遷移指示であるときは、表示制御部２１０は、表示中の画面から指示された他の画面に表示切り替えを行う。あるいは、その通知がパラメータ設定の通知であるときは、必要なパラメータの設定が完了したかどうかを判定する。すなわち、出力用紙サイズおよびコピー倍率の双方の設定が完了したかを判定する。設定が完了すれば、パラメータ判定部２３０へパラメータ設定完了の通知を行う。
【００４８】
入力受付部２２０は、キースキャン制御回路２０４を制御して、タッチパネル２２またはキーボード２３からの入力を受け付ける。さらに、入力受付部２２０は、受け付けた入力を判別する。判別の結果、受け付けた入力がパラメータ設定入力であれば、入力受付部２２０はその旨を表示制御部２１０へ通知するとともに、設定されたパラメータの値をパラメータ記憶部２６０に記憶する。また、受け付けた入力が他の画面への遷移入力であれば、表示制御部２１０へその旨を通知する。一つの入力で、パラメータを設定するとともに、画面遷移を行う場合もある。
【００４９】
パラメータ判定部２３０は、表示制御部２１０からパラメータの設定完了通知を受けて、パラメータ記憶部２６０に記憶されているパラメータ値が不整合であるかを判定する。本コピー装置１は、原稿サイズを取得するためのセンサを備えていない。そのため、ユーザの誤設定により、定型変倍の出力側の記録紙サイズと設定された出力用紙サイズが一致しないままコピーを行うと、ミスコピーとなる。それを防止するためにパラメータ値の不整合確認を行う。ここで、定型変倍とは、第１の定型記録紙サイズから第２の定型記録紙サイズへ拡大または縮小する変倍率のことをいう。パラメータ値が不整合であるとは、具体的には、出力用紙のサイズおよび方向の設定の少なくともいずれか一方が、定型変倍の出力側の定型の記録紙サイズまたは方向と一致しないことをいう。
【００５０】
たとえば、パラメータ判定部２３０は、表示制御部２１０から、出力用紙サイズおよびコピー倍率の設定が完了したことの通知を受け付ける。この通知を受け付けると、パラメータ判定部２３０は、パラメータ記憶部２６０に記憶されている出力用紙設定２６１およびコピー倍率設定２６２を取得する。
【００５１】
パラメータ判定部２３０内には、図４に示す定型変倍情報２４０を保持している。定型変倍情報２４０は、定型変倍の倍率２４１、原稿サイズ２４２および変倍の出力側の記録紙サイズ２４３を含む。定型変倍では、図４に示すように、たとえば１４１％、１１５％、８６％、７０％のように、一つの倍率２４１に対して、複数の原稿サイズ２４２と変倍出力サイズ２４３の組が存在することがある。
【００５２】
そして、この定型変倍情報２４０に基づいて、設定済みパラメータが不整合でないかチェックする。以下、その処理手順の例を図６に示す。
【００５３】
パラメータ記憶部２６０から、出力用紙２６１とコピー倍率２６２に記憶されている情報を取得する（Ｓ１０１）。取得したコピー倍率２６２が、定型変倍のいずれかの倍率２４１であるかどうかを判別する（Ｓ１０２）。設定済みコピー倍率２６２が倍率２４１のいずれとも一致しない場合は、整合性判定を行わない（Ｓ１１１）。
【００５４】
設定済みコピー倍率２６２が倍率２４１のいずれかと一致する場合は、その倍率２４１と対応する変倍出力サイズ２４３が、設定済み出力用紙サイズ２６１ａと一致するかどうかを判断する（Ｓ１０３）。変倍出力サイズ２４３が複数ある場合は、そのうちのいずれかと一致するかどうかを判断する。出力用紙サイズ２６１ａと変倍出力サイズ２４３とが一致しない場合は、パラメータ設定が不整合と判定する（Ｓ１１２）。
【００５５】
一致する場合は、原稿サイズ２４２がＡ３またはＢ４であるかどうかを判定する（Ｓ１０４）。原稿サイズ２４２がＡ３、Ｂ４のいずれかである場合は、さらに出力用紙方向２６１ｂの設定がタテであるかを判別する（Ｓ１０５）。出力用紙方向２６１ｂの設定がタテでないの場合、不整合と判断する（Ｓ１１２）。これは、以下の理由による。つまり、コピー装置１の構造上、Ａ３の１／２であるＡ４よりも大きいＡ３またはＢ４サイズの原稿は、原稿台３０ａにタテ方向にしか置くことができない。さらに、本コピー装置１は、読み取った原稿をタテ方向からヨコ方向、または、ヨコ方向からタテ方向へ回転する機能を備えていない。したがって、Ａ３またはＢ４を縮小コピーした場合に出力用紙方向２６１ｂがタテでないと原稿の全内容をコピーすることができないからである。
【００５６】
Ｓ１０５出力用紙方向２６１ｂの設定がタテの場合、および、原稿サイズ２４２がＡ３、Ｂ４のいずれでもない場合は、一応、整合していると判断する（Ｓ１１５）。
【００５７】
上記処理は、明らかに不整合な場合を除去するためのものである。従って、一応整合していると判断された場合であっても、現実には不整合であることも起こり得る。
【００５８】
つぎに、図７から１０に示す各画面について説明する。ＬＣＤ２１に表示されている以下の各画面に対して、ユーザは、タッチパネル２２に触れて、画面上のボタン押下等の操作受付領域に対する入力を行うことができる。つまり、ユーザが、ＬＣＤ２１に表示されているボタン等に対応するタッチパネル２２の領域に触れると、入力受付部２２０が入力を受け付けることになる。なお、本実施形態ではタッチパネル２２を用いているが、キーボード、マウス等、他の入力装置を用いてもよい。
【００５９】
図７に示すメイン画面５００には、コピー倍率の設定値を変更するための縮小ボタン５１１および拡大ボタン５１２と、コピー倍率の設定値を表示する倍率表示領域５１４と、出力用紙の設定を変更するための用紙選択ボタン５２１と、出力用紙の設定値を表示するための用紙表示領域５２４とが表示されている。その他に、コピー条件を設定するための各種ボタンが表示されている。
【００６０】
縮小ボタン５１１は、縮小コピーを行うときに縮小倍率を設定するためのボタンである。縮小ボタン５１１が押されると、表示制御部２１０は、ＬＣＤ２１に縮小メニュー画面６３０を表示させる。拡大ボタン５１２は、拡大コピーを行うときに拡大倍率を設定するためのボタンである。拡大ボタン５１２が押されると、表示制御部２１０は、ＬＣＤ２１に拡大メニュー画面６１０を表示させる。倍率表示領域５１４には、コピー倍率の設定値、すなわち、パラメータ記憶部２６０のコピー倍率２６２に記憶されている倍率が表示される。倍率表示領域５１４をユーザが押下すると、倍率メニュー画面６００が表示される。つまり、倍率表示領域５１４も、ユーザからの倍率設定のための入力を受け付けることができる。
【００６１】
用紙選択ボタン５２１は、出力用紙を選択するためのボタンである。用紙選択ボタン５２１が押されると、表示制御部２１０は、ＬＣＤ２１に用紙選択画面７００を表示させる。用紙表示領域５２４には、出力用紙の設定値、すなわち、パラメータ記憶部２６０に記憶されている出力用紙サイズ２６１ａに記憶されている用紙サイズが表示され、用紙の方向２６１ｂは、絵文字５２４ａで表される。用紙表示領域５２４をユーザが押下すると、出力用紙選択画面７００が表示される。つまり、用紙表示領域５２４も、ユーザからの用紙設定のための入力を受け付けることができる。
【００６２】
本実施形態のコピー装置１において、用紙設定と倍率設定はいずれを先に行ってもよい。表示制御部２３０は、いずれか一方の設定画面において、ユーザからの設定入力を受け付けると他方の画面へ遷移して、当該他方の設定入力を促す。このコピー装置１は、原稿用紙サイズを計測するためのセンサを設けていない。したがって、上記のように入力を促すことにより、用紙設定と倍率設定の両方とも確実に設定されることになり、設定忘れを防止することができる。
【００６３】
また、図１０に示すメイン画面５５０は、コピー倍率が１１５％、出力用紙がＡ４ヨコに設定された場合の例を示す。なお、この状態から、さらに縮小ボタン５１１、拡大ボタン５１２、等倍ボタン５１３、あるいは、用紙選択ボタン５２１を押して、再度、コピー倍率または出力用紙の設定をやり直すことができる。
【００６４】
次に、図８にコピー倍率を設定するための入力を受け付ける倍率選択画面群６００、６１０、６２０を示す。
【００６５】
図８（ａ）に示す倍率メニュー画面６００には、縮小ボタン５１１、拡大ボタン５１２、等倍ボタン５１３、倍率表示領域５１４、および、キャンセルボタン６０３が表示されている。その他の表示は、グレーアウトして操作を受け付けないようになっている。縮小ボタン５１１、拡大ボタン５１２および等倍ボタン５１３は、点滅表示等の強調表示をさせてもよい。ここで、縮小ボタン５１１、拡大ボタン５１２および倍率表示領域５１４が押されたときの動作は、メイン画面５００のときと同様である。等倍ボタン５１３が押下されると、倍率が等倍、すなわち１００％に決定し、パラメータ記憶部２６０のコピー倍率２６２に記憶される。
【００６６】
図８（ｂ）に示す拡大メニュー画面６１０には、定型変倍の変倍率と原稿サイズおよび変倍用紙サイズを表示した倍率選択ボタン６１１、６１２、６１３、６１４と、等倍ボタン６１５と、決定ボタン６１６と、キャンセルボタン６１７とが表示されている。この他にも、ズーム倍率設定ボタン、および、コピー倍率、印刷用紙の設定値等が表示されている。定型変倍の倍率選択ボタン６１１、６１２、６１３、６１４のいずれかが選択され、決定ボタン６１６が押されると、コピー倍率が各ボタン６１１、６１２、６１３、６１４に割り当てられた定型変倍の倍率に決定される。等倍ボタン６１５が押されると、コピー倍率が等倍に決定される。決定された倍率は、パラメータ記憶部２６０のコピー倍率２６２に記憶される。
【００６７】
図８（ｃ）に示す縮小メニュー画面６３０には、定型変倍の選択ボタン６３１、６３２、６３３と、等倍ボタン６１５と、決定ボタン６１６と、キャンセルボタン６１７とが表示されている。この他にも、ズーム倍率設定ボタン、および、コピー倍率、印刷用紙の設定値等が表示されている。拡大メニュー画面６１０同様に、定型変倍の選択ボタン６３１、６３２、６３３のいずれかが選択され、決定ボタン６１６が押されると、コピー倍率が各ボタン６３１、６３２、６３３に割り当てられた定型変倍の倍率に決定される。等倍ボタン６１５が押されると、コピー倍率が等倍に決定される。決定された倍率は、パラメータ記憶部２６０のコピー倍率２６２に記憶される。
【００６８】
図９に出力用紙を設定するための入力を受け付ける出力用紙選択画面７００を示す。出力用紙選択画面７００には、カセットにセットされている用紙のサイズおよび方向を表示している選択ボタン７０１、７０２、７０３と、キャンセルボタン７０４と表示されている。この他に、手差しトレイの選択ボタンが表示されている。用紙選択ボタン７０１、７０２、７０３のいずれかが選択されると、各ボタン７０１、７０２、７０３に割り当てられているカセットにセットされている用紙が、出力用紙に決定する。決定された出力用紙は、パラメータ記憶部２６０の出力用紙２６１に記憶される。
【００６９】
つぎに、パラメータ設定の手順を図１１から１３を用いて、具体例で説明する。
【００７０】
図１１に示す例では、用紙設定を行った後、倍率設定を行う。まず、表示制御部２１０が、ＬＣＤ２１にメイン画面５００を表示させる（Ｓ２０１）。ユーザが用紙選択ボタン５２１を押すと、表示制御部２１０は、ＬＣＤ２１に出力用紙選択画面７００を表示させる（Ｓ２０２、Ｓ２０３）。出力用紙選択画面７００において、ユーザが用紙選択ボタン７０１を押して、Ａ４ヨコの用紙を選択する（Ｓ２０４）。用紙が選択されると、倍率メニュー画面６００がＬＣＤ２１に表示される（Ｓ２０５）。ここで、縮小ボタン５１１、拡大ボタン５１２および等倍ボタン５１３を、点滅表示させる。ユーザが拡大ボタン５１２を押すと、拡大メニュー画面６２０が表示される（Ｓ２０６、Ｓ２０７）。ユーザは選択ボタン６１１を押して、倍率１１５％を選択し、決定ボタン６１６を押す（Ｓ２０８）。これにより、パラメータ記憶部２６０の出力用紙２６１およびコピー倍率２６２が、図５（ａ）のように設定された。ここで、パラメータ判定部２３０が図６に示す処理手順で、パラメータの整合性判定を行う（Ｓ２０９）。この場合、整合していると判断され、図１０に示すメイン画面５５０がＬＣＤ２１に表示され、ユーザはコピーをすると設定した状態でコピーが可能となる。
【００７１】
次に、図１２に示す例では、倍率設定を行った後、用紙設定を行う。表示制御部２１０が、ＬＣＤ２１にメイン画面５００を表示させる（Ｓ３０１）。ユーザが拡大ボタン５１２または用紙表示領域５２４を押すと、表示制御部２１０は、ＬＣＤ２１に拡大メニュー画面６１０を表示させる（Ｓ３０２、Ｓ３０３）。拡大メニュー画面６１０において、ユーザが選択ボタン６１１を押して、１１５％を選択し、決定ボタン６１６を押す（Ｓ３０４）。倍率が選択されると、用紙選択画面７００がＬＣＤ２１に表示される（Ｓ３０５）。ユーザは選択ボタン７０２を押して、Ｂ５タテを選択する（Ｓ３０６）。これにより、パラメータ記憶部２６０の出力用紙２６１およびコピー倍率２６２が、図５（ｂ）のように設定された。ここで、パラメータ判定部２３０が図６に示す処理手順で、パラメータの整合性判定を行う（Ｓ３０７）。この場合、Ｓ１０３において、設定された出力用紙サイズ（Ｂ５）と、１１５％の出力サイズ（Ａ３、Ａ４）とが一致しないので、不整合と判定される。
【００７２】
この結果、このままコピーを実行すると原稿の一部が欠落したままコピーがされることになる。そこで、そのことをユーザへ警告する。具体的には、図１２に示す例では、倍率設定を先に行っているので、倍率メニュー画面６００をＬＣＤ２１に表示して、倍率の再入力を促す（Ｓ３０８）。この後、倍率が再度入力されると、メイン画面が再度表示されて、コピーの実行が可能となる。なお、倍率が再入力された後は、パラメータの整合性判定は行わない。したがって、不整合が起こっていてもそのままである。これは、一度再入力を促せば、警告としての役目は果たしていると考えられること、および、ユーザによっては、原稿の一部のみをコピーしたい場合や、出力用紙の一部に余白を設けたい場合等、意図的に不整合のままコピーを行いたい場合もあることを考慮したものである。
【００７３】
次に、図１３に示す例では、用紙設定を行った後、倍率設定を行う。表示制御部２１０が、ＬＣＤ２１にメイン画面５００を表示させる（Ｓ４０１）。ユーザが用紙選択ボタン５２１または、用紙表示領域５２４を押すと、表示制御部２１０は、ＬＣＤ２１に出力用紙選択画面７００を表示させる（Ｓ４０２、Ｓ４０３）。出力用紙選択画面７００において、ユーザが用紙選択ボタン７０１を押して、Ａ４ヨコの用紙を選択する（Ｓ４０４）。用紙が選択されると、倍率メニュー画面６００がＬＣＤ２１に表示される（Ｓ４０５）。ここで、縮小ボタン５１１、拡大ボタン５１２および等倍ボタン５１３を、点滅表示させる。ユーザが縮小ボタン５１１を押すと、縮小メニュー画面６３０が表示される（Ｓ４０６、Ｓ４０７）。ユーザは選択ボタン６３２を押して、倍率８１％を選択し、決定ボタン６１６を押す（Ｓ４０８）。これにより、パラメータ記憶部２６０の出力用紙２６１およびコピー倍率２６２が、図５（ｃ）のように設定された。ここで、パラメータ判定部２３０が図６に示す処理手順で、パラメータの整合性判定を行う（Ｓ４０９）。この場合、原稿サイズがＢ４であるので、Ｓ１０４からＳ１０５へ処理が移る。Ｓ１０５において、用紙方向２６１ｂがヨコであるので、不整合と判断される。
【００７４】
この場合、図１２の例と同様にユーザへ警告を行う。ここでは、用紙設定を先に行ったので、再度用紙選択画面７００を表示し、再入力を促す（Ｓ４１０）。ここで、出力用紙が再度入力されると、メイン画面が再度表示されて、コピーの実行が可能となる。さらにパラメータの整合性判定は行わないことは、図１２の例と同様である。
【００７５】
なお、上記実施形態において説明した各構成は、所定の機能を実現するために必要な構成のみを用いることもできる。また、その際、必要でない構成については省略をすることもできる。
【００７６】
【発明の効果】
本発明によれば、電子機器におけるパラメータの設定入力の利便性が向上する。
【図面の簡単な説明】
【図１】本発明にかかる実施形態を適用したコピー装置の外観の構成を示す説明図である。
【図２】本発明にかかる実施形態を適用したコピー装置内部のハードウェア構成を示す説明図である。
【図３】本発明にかかる実施形態を適用したコピー装置の操作盤の機能構成を示す説明図である。
【図４】本発明にかかる実施形態を適用したコピー装置で用いる定型変倍情報を示す説明図である。
【図５】（ａ）、（ｂ）、（ｃ）は、それぞれ、本発明にかかる実施形態を適用したコピー装置のパラメータ記憶部に記憶する記憶内容の例を示す説明図である。
【図６】本発明にかかる実施形態を適用したコピー装置におけるパラメータ整合性判定の処理手順を示すフローチャートである。
【図７】本発明にかかる実施形態を適用したコピー装置におけるメイン画面の例を示す説明図である。
【図８】（ａ）、（ｂ）、（ｃ）は、本発明にかかる実施形態を適用したコピー装置における倍率選択画面群の例を示す説明図である。
【図９】本発明にかかる実施形態を適用したコピー装置における出力用紙選択画面の例を示す説明図である。
【図１０】本発明にかかる実施形態を適用したコピー装置におけるメイン画面の例を示す説明図である。
【図１１】本発明にかかる実施形態を適用したコピー装置における用紙選択およびコピー倍率選択の手順の例を示すフローチャートである。
【図１２】本発明にかかる実施形態を適用したコピー装置における用紙選択およびコピー倍率選択の手順の例を示すフローチャートである。
【図１３】本発明にかかる実施形態を適用したコピー装置における用紙選択およびコピー倍率選択の手順の例を示すフローチャートである。
【符号の説明】
１…コピー装置
１０…プリンタ
２０…操作盤
２１…ＬＣＤ
３０…スキャナ
５００、５５０…メイン画面
６００…倍率メニュー画面
６１０…拡大メニュー画面
６３０…縮小メニュー画面
７００…出力用紙選択画面
【図１】
0003690248.tif 000002
【図２】
0003690248.tif 000003
【図３】
0003690248.tif 000004
【図４】
0003690248.tif 000005
【図５】
0003690248.tif 000006
【図６】
0003690248.tif 000007
【図７】
0003690248.tif 000008
【図８】
0003690248.tif 000009
【図９】
0003690248.tif 000010
【図１０】
0003690248.tif 000011
【図１１】
0003690248.tif 000012
【図１２】
0003690248.tif 000013
【図１３】
0003690248.tif 000014